(57)【要約】【課題】複数のコンクリートブロックを連結するＰＣ鋼材の端部を定着するために設けられた定着切欠穴を簡単かつ確実に閉塞することができるようにすること。【解決手段】定着切欠穴１ｂ内にモルタルを充填する際に、定着切欠穴１ｂの開口部を塞ぐパネル材７を固定具９で固定するようにし、この固定具９を支持具１０に支持させ、支持具１０を定着切欠穴１ｂに突出したＰＣ鋼材２に装着するようにした。固定具９は、支持具１０に螺着されるセパレータロッド９ａと、セパレータロッド９ａに螺着されるコーン９ｂと、コーン９ｂに設けたねじ部９ｃ又はコーン９ｂから突出したセパレータロッド９ａに螺着される緊結具９ｄとからなり、コーン９ｂと緊結具９ｄとの間にパネル材７を挟み、緊結具９ｄにより緊結してパネル材７を固定する。【選択図】図１
2007002562.tif 000002
【特許請求の範囲】
【請求項１】
複数のコンクリートブロックを連結するＰＣ鋼材の端部を定着するために設けられた定着切欠穴内にモルタルを充填する際に、定着切欠穴の開口部をパネル材で塞ぐための定着切欠穴閉塞装置であって、
前記パネル材を固定する固定具と、この固定具を支持する支持具とを有し、
前記支持具を定着切欠穴に突出したＰＣ鋼材に装着するようにしたコンクリートブロックの定着切欠穴閉塞装置。
【請求項２】
固定具が、支持具に螺着されるセパレータロッドと、セパレータロッドに螺着されるコーンと、コーンに設けたねじ部又はコーンから突出したセパレータロッドに螺着される緊結具とからなり、コーンと緊結具との間にパネル材を挟み、緊結具により緊結してパネル材を固定するようにした請求項１に記載のコンクリートブロックの定着切欠穴閉塞装置。
【請求項３】
複数のコンクリートブロックを連結するＰＣ鋼材の端部を定着するために設けられた定着切欠穴内にモルタルを充填して閉塞するコンクリートブロックの定着切欠穴閉塞方法であって、
定着切欠穴に突出したＰＣ鋼材に支持具を装着する工程と、
前記支持具に固定具を支持させる工程と、
前記固定具にパネル材を固定して定着切欠穴の開口部を塞ぐ工程と、
前記定着切欠穴内にモルタルを充填する工程と、
前記モルタルが硬化した後に前記パネル材を取り外す工程とを含むコンクリートブロックの定着切欠穴閉塞方法。
【発明の詳細な説明】
【技術分野】
【０００１】
本発明は、ボックスカルバート等の複数のコンクリートブロックを連結するための構造及び方法に関し、とくに、複数のコンクリートブロックを連結するＰＣ鋼棒あるいはＰＣ鋼より線からなるＰＣ鋼材の端部を定着するために設けられた定着切欠穴を閉塞するための装置及び方法に関する。
【背景技術】
【０００２】
ボックスカルバート等のプレキャストタイプのコンクリートブロックを用いて水路等を構築する際には、コンクリートブロックをＰＣ鋼材により連結する方法が一般的に採られている（例えば、特許文献１参照）。
【０００３】
ボックスカルバートを例に挙げると、図８に示すように、ボックスカルバート１には、ＰＣ鋼材を連結方向に挿入するために貫通孔１ａが設けられており、さらに、ＰＣ鋼材の端部にナット等の定着具を装着して定着させるために定着切欠穴１ｂ（縦：２００〜３００ｍｍ、横：１５０〜２００ｍｍ、奥行き：１５０〜２００ｍｍ程度）が設けられている。なお、図８の例では定着切欠穴１ｂをボックスカルバートの中央部に設けているが、端部に設ける場合もある。
【０００４】
具体的な連結方法を図９を参照して説明すると、まず、１スパン分のボックスカルバート１を設置し、貫通孔１ａにＰＣ鋼材２（図示の例ではＰＣ鋼棒）を挿入した後に、ＰＣ鋼材２の両端に定着具３（アンカープレート３ａ，ワッシャー３ｂ，ナット３ｃ）を装着する。次に、ＰＣ鋼材２の一端（敷設方向側）にカップラー４を介してテンションバー５を取り付け、ジャッキ６により所定量緊張後、定着具のナット３ｃをスパナ等で十分に締め付ける。その後、ジャッキ６の緊張を緩め、ジャッキ６、テンションバー５及びカップラー４を取り外す。以後、この作業を必要な分だけ繰り返す。
【０００５】
このように、ＰＣ鋼材により複数のボックスカルバートを連結する場合、ＰＣ鋼材の端部を定着させるために定着切欠穴が必要であり、この定着切欠穴は、連結作業後、ＰＣ鋼材や定着具の腐食を防止するためにモルタル等を充填して閉塞する必要がある。
【０００６】
この定着切欠穴の閉塞方法としては、従来、図１０に示すように、定着切欠穴１ｂにモルタルを充填する際に、その開口部をパネル材７で塞ぎ、充填口１ｃからモルタルを充填し硬化した後に、パネル材７を取り外すという方法が一般的である。しかし、図１０に示す従来の方法では、パネル材７をＰＣ鋼材２に取り付けた結束線８により固定するようにしており、パネル材７の固定作業に手間がかかる。また、パネル材７の固定が不十分でモルタルが漏れ出るおそれもある。さらに、モルタルの硬化後、パネル材７を取り除くと、結束線８の端部が表面に露出するので、そこを起点に錆が発生しモルタル等に悪影響を及ぼす。結束線８の露出部にモルタルを塗布することも考えられるが、余計な作業が増えるばかりでなく、その防錆効果は限られており、経年的には錆の発生は避けられない。
【０００７】
一方、パネル材を用いずに、モルタルが垂れないように適度な硬さに調製した上で、モルタル施工する方法もあるが、この方法には熟練を要し、一般的ではない。
【特許文献１】特開２００５−２６５７号公報
【発明の開示】
【発明が解決しようとする課題】
【０００８】
本発明が解決しようとする課題は、複数のコンクリートブロックを連結するＰＣ鋼材の端部を定着するために設けられた定着切欠穴を簡単かつ確実に閉塞することができるようにすることにある。
【課題を解決するための手段】
【０００９】
上記課題を解決するため、本発明は、定着切欠穴内にモルタルを充填する際に、定着切欠穴の開口部を塞ぐパネル材を固定具で固定するようにし、この固定具を支持具に支持させ、支持具を定着切欠穴に突出したＰＣ鋼材に装着するようにしたものである。
【００１０】
すなわち、本発明の定着切欠穴閉塞装置は、複数のコンクリートブロックを連結するＰＣ鋼材の端部を定着するために設けられた定着切欠穴内にモルタルを充填する際に、定着切欠穴の開口部をパネル材で塞ぐための定着切欠穴閉塞装置であって、前記パネル材を固定する固定具と、この固定具を支持する支持具とを有し、前記支持具を定着切欠穴に突出したＰＣ鋼材に装着するようにしたものである。
【００１１】
本発明においては、固定具を、支持具に螺着されるセパレータロッドと、セパレータロッドに螺着されるコーンと、コーンに設けたねじ部又はコーンから突出したセパレータロッドに螺着される緊結具とから構成し、コーンと緊結具との間にパネル材を挟み、緊結具により緊結してパネル材を固定するようにすることができる。
【００１２】
また、本発明の定着切欠穴閉塞方法は、複数のコンクリートを連結するＰＣ鋼材の端部を定着するために設けられた定着切欠穴内にモルタルを充填して閉塞するコンクリートブロックの定着切欠穴閉塞方法であって、定着切欠穴に突出したＰＣ鋼材に支持具を装着する工程と、前記支持具に固定具を支持させる工程と、前記固定具にパネル材を固定して定着切欠穴の開口部を塞ぐ工程と、前記定着切欠穴内にモルタルを充填する工程と、前記モルタルが硬化した後に前記パネル材を取り外す工程とを含むものである。
【発明の効果】
【００１３】
本発明によれば、定着切欠穴内にモルタルを充填する際に、定着切欠穴の開口部を塞ぐパネル材を固定具により確実に固定することができる。
【００１４】
また、固定具を支持具に支持し、この支持具をＰＣ鋼材に装着するようにしているので、固定具の取り付けが容易となり、作業者の負担を軽減することができる。
【００１５】
さらに、従来のように結束線が表面に露出することがないので、錆が発生することもない。
【発明を実施するための最良の形態】
【００１６】
以下、本発明をボックスカルバートの連結作業に適用した実施例によって、本発明の実施の形態を説明する。
【実施例１】
【００１７】
図１は、本発明に係る定着切欠穴閉塞装置の一実施例を示し、（ａ）は使用状態の断面図、（ｂ）は（ａ）のＡ−Ａ線矢視図である。また、図２は、図１に示す定着切欠穴閉塞装置の構成部材の分解斜視図である。
【００１８】
図１は、複数のボックスカルバート１を先に図９で説明した連結作業により連結した後に定着切欠穴１ｂ内にモルタルを充填する際の状態を示しており、定着切欠穴１ｂの開口部はパネル材７によって塞がれている。パネル材７は固定具９によって固定されており、固定具９は支持具１０に支持され、支持具１０は定着切欠穴１ｂ内に突出したＰＣ鋼材２（実施例ではＰＣ鋼棒）の端部に装着されている。
【００１９】
固定具１０は、図２に示すように、セパレータロッド９ａと、コーン９ｂと、緊結具９ｄとからなる。セパレータロッド９ａは全ねじの棒材であり、その一端が支持具１０に螺着され支持される。コーン９ｂはセパレータロッド９ａの他端に螺着され、この螺着側と反対側の端部にねじ部９ｃが設けられている。緊結具９ｄは、コーン９ｂに設けたねじ部９ｃに螺着される。そして、パネル材を固定する際は、コーン９ｂと緊結具９ｄとの間にパネル材を挟み、緊結具９ｄにより緊結してパネル材を固定する。また、緊結具９ｄには後述するストッパ１２を挿入するためのストッパ挿入孔９ｅが設けられている。なお、実施例では、緊結具９ｄをコーン９ｂに設けたねじ部９ｃに螺着させるようにしたが、全ねじのセパレータロッド９ａをコーン９ｂから突出させ、その突出したセパレータロッド９ａに緊結具９ｄを螺着するようにしてもよい。
【００２０】
支持具１０は、図２に示すように、ＰＣ鋼材に装着するため、その中心に挿通孔１０ａが開けられており、全体として円筒状に形成されている。そして、その周面には上述のセパレータロッド９ａを螺着するねじ孔１０ｂが設けられている。なお、支持具１０は円筒状に限らず、例えば、６角柱状に形成してもよい。要するに、ＰＣ鋼材に装着可能であり、セパレータロッド９ａを支持可能であればよい。
【００２１】
以下、本発明による定着切欠穴閉塞方法を図面を参照して説明する。
【００２２】
まず、図３に示すように、定着切欠穴１ｂに突出したＰＣ鋼材２に支持具１０の挿通孔１０ａに挿通して装着する。次に、図４に示すように、支持具１０のねじ孔１０ｂ（図２参照）にセパレータロッド９ａの一端を螺着し、他端にコーン９ｂを螺着する。セパレータロッド９ａの長さは定着切欠穴１ｂの深さに応じて適宜選択する。そして、パネル材７の取付孔をコーン９ｂに設けたねじ部９ｃに挿通させ、その状態で、図５に示すように、ねじ部９ｃに緊結具９ｄを螺着、緊結してパネル材７を固定する。その後、先に図１に示したように、さん木１１に楔状のストッパ１２を当て、ストッパ１２を緊結具９ｄのストッパ挿入孔９ｅに挿入して押し込むことで、さん木１１を固定し、パネル材７を補助的に支持する。
【００２３】
この状態で、ボックスカルバート１の充填口１ｃからモルタルを充填して定着切欠穴１ｂを閉塞する。モルタルが硬化したら、緊結具９ｄを取り外しパネル材７を取り外す。さらに、コーン９ｂも取り外す。コーン９ｂの取り外した後に残った空隙にはモルタル等を塗ってその空隙を塞ぐ。以上により、定着切欠穴の閉塞作業が終了する。
【実施例２】
【００２４】
図６は、本発明に係る定着切欠穴閉塞装置の他の実施例を示し、（ａ）は使用状態の断面図、（ｂ）は（ａ）のＢ−Ｂ線矢視図である。また、図７は、図６に示す定着切欠穴閉塞装置の構成部材の分解斜視図である。
【００２５】
この実施例は、支持具１０をＰＣ鋼材２に装着し、さらに固定部材１３（実施例では固定ボルト）によってＰＣ鋼材２に固定するようにしたものである。そのため、支持具１０には、上述のセパレータロッド９ａを螺着するねじ孔１０ｂの反対側に固定部材１３を螺着するねじ孔１０ｃが設けられている。なお、固定部材１３を螺着するねじ孔１０ｃは、固定部材１３による支持具１０の固定をより安定的に行うために２箇所以上に設けてもよい。この場合、セパレータロッド９ａを螺着するねじ孔１０ｂと固定部材１３を螺着するねじ孔１０ｃは等間隔で設けることが好ましい。
【００２６】
この実施例の場合、支持具１０をＰＣ鋼材２に装着した後、あるいは、支持具１０にセパレータロッド９ａを支持させた後に、固定部材１３によって支持具１０をＰＣ鋼材２に固定する。なお、本発明においては、先の実施例で示したように、支持具１０はＰＣ鋼材２に装着するだけでよく、必ずしも固定部材１３によってＰＣ鋼材２に固定する必要はない。この場合でも、支持具１０はねじ孔１０ｂに螺着したセパレータロッド９ａによってもある程度固定され、コスト的には有利である。
【産業上の利用可能性】
【００２７】
本発明はボックスカルバートのほか、擁壁、開渠等のプレキャストタイプのコンクリートブロックの連結作業に適用可能である。
【図面の簡単な説明】
【００２８】
【図１】本発明に係る定着切欠穴閉塞装置の一実施例を示し、（ａ）は使用状態の断面図、（ｂ）は（ａ）のＡ−Ａ線矢視図である。
【図２】図１に示す定着切欠穴閉塞装置の構成部材の分解斜視図である。
【図３】本発明に係る定着切欠穴閉塞方法の過程を示す断面図である。
【図４】本発明に係る定着切欠穴閉塞方法の過程を示す断面図である。
【図５】本発明に係る定着切欠穴閉塞方法の過程を示す断面図である。
【図６】本発明に係る定着切欠穴閉塞装置の他の実施例を示し、（ａ）は使用状態の断面図、（ｂ）は（ａ）のＢ−Ｂ線矢視図である。
【図７】図６に示す定着切欠穴閉塞装置の構成部材の分解斜視図である。
【図８】ボックスカルバートの一部を示す斜視図である。
【図９】ボックスカルバートの連結方法を示す説明図である。
【図１０】定着切欠穴閉塞方法を示す断面図である。
【符号の説明】
【００２９】
１  ボックスカルバート（コンクリートブロック）
１ａ  貫通孔
１ｂ  定着切欠穴
１ｃ  充填口
２  ＰＣ鋼材
３  定着具
３ａ  アンカープレート
３ｂ  ワッシャー
３ｃ  ナット
４  カップラー
５  テンションバー
６  ジャッキ
７  パネル材
８  結束線
９  固定具
９ａ  セパレータロッド
９ｂ  コーン
９ｃ  ねじ部
９ｄ  緊結具
９ｅ  ストッパ挿入孔
１０  支持具
１０ａ  挿通孔
１０ｂ，１０ｃ  ねじ孔
１１  さん木
１２  ストッパ
１３  固定部材
【図１】
2007002562.tif 000003
【図２】
2007002562.tif 000004
【図３】
2007002562.tif 000005
【図４】
2007002562.tif 000006
【図５】
2007002562.tif 000007
【図６】
2007002562.tif 000008
【図７】
2007002562.tif 000009
【図８】
2007002562.tif 000010
【図９】
2007002562.tif 000011
【図１０】
2007002562.tif 000012